(57)【要約】【課題】  超電導マグネット装置の大幅なコストアップ及び大型化を避けながら、外部への磁場の洩れを有効に抑止する。【解決手段】  磁場形成用コイル１２Ｍ，１２Ｃと、その磁場の漏洩を抑止するシールドコイル１２Ｓとを液体ヘリウム容器１４等のコイル支持部材に支持する。そして、このコイル収容容器１４に対する相対位置関係が変化しない部位であって前記シールドコイル１２Ｓよりも外側の部位に、磁性材料からなる磁気シールド部材２４，２５，２６を設ける。【選択図】      図１
2006261335.tif 000002
【特許請求の範囲】
【請求項１】
磁場を形成するための磁場形成用コイルと、この磁場形成用コイルを取り囲んで当該磁場形成用コイルにより形成される磁場の漏洩を抑止するためのシールドコイルと、これらの磁場形成用コイル及びシールドコイルを支持するコイル支持部材とを備えるとともに、このコイル支持部材に対する相対位置関係が変位しない部位であって前記シールドコイルよりも外側の部位に磁性材料からなる磁気シールド部材が設けられていることを特徴とする超電導マグネット装置。
【請求項２】
請求項１記載の超電導マグネット装置において、前記コイル支持部材は、前記磁場形成用コイル及びシールドコイルの運転温度と同等の温度まで冷却されるものであり、前記磁気シールド部材は前記コイル支持部材との熱伝導によって当該コイル支持部材と略同等の温度に保持される部位に設けられていることを特徴とする超電導マグネット装置。
【請求項３】
請求項１または２記載の超電導マグネット装置において、前記コイル支持部材は、前記磁場形成用コイル及びシールドコイルをその冷却のための冷媒とともに収容するコイル収容容器であり、このコイル収容容器のうち少なくとも前記シールドコイルを取り囲む周壁部分にこの周壁部分と一体に変位するように前記磁気シールド部材が固定されていることを特徴とする超電導マグネット装置。
【請求項４】
請求項１記載の超電導マグネット装置において、前記コイル支持部材は、前記磁場形成用コイル及びシールドコイルをその冷却のための冷媒とともに収容するコイル収容容器であり、このコイル収容容器のうち少なくとも前記シールドコイルを取り囲む周壁部分が前記磁気シールド部材により構成されていることを特徴とする超電導マグネット装置。
【請求項５】
請求項１または２記載の超電導マグネット装置において、前記コイル支持部材は、冷凍機に熱伝導可能に接続されて当該冷凍機の生成する冷熱を前記磁場形成用コイル及びシールドコイルに伝える熱媒体として機能するものであり、前記磁気シールド部材は前記コイル支持部材に当該コイル支持部材と熱伝導可能となるように接続されていることを特徴とする超電導マグネット装置。
【請求項６】
請求項５記載の超電導マグネット装置において、前記コイル支持部材に前記磁場形成用コイル及びシールドコイルをその径方向外側から包囲するコイル包囲部が設けられており、このコイル包囲部に当該コイル包囲部と熱伝導可能となるように前記磁気シールド部材が一体に固定されていることを特徴とする超電導マグネット装置。
【請求項７】
請求項１〜６のいずれかに記載の超電導マグネット装置において、前記コイル支持部材を収容する外側容器を備え、この外側容器と前記コイル支持部材との相対位置関係が温度変化により変動するように両者が連結されており、かつ、前記外側容器及びコイル支持部材のうちのコイル支持部材側に前記磁気シールド部材が設けられていることを特徴とする超電導マグネット装置。
【請求項８】
請求項１〜７のいずれかに記載の超電導マグネット装置において、前記磁気形成用コイル、前記シールドコイル、及び前記磁気シールド部材は円筒状をなし、かつ、これらの軸心が相互合致する位置に当該磁気形成用コイル、シールドコイル、及び磁気シールド部材が配置されていることを特徴とする超電導マグネット装置。
【発明の詳細な説明】
【技術分野】
【０００１】
本発明は、理化学用ＮＭＲ分析装置、ＭＲＩ装置、ＩＣＲ質量分析装置等に用いられる超電導マグネット装置に関するものである。
【背景技術】
【０００２】
超電導マグネット装置は、その内部において非常に強い磁場を発生させることが可能であるが、その分、マグネットの周囲の広い領域にわたって磁場が洩れてしまう可能性を秘めている。そこで従来は、特許文献１に記載されるように、磁場形成用コイルを取り囲むようにシールドコイルを配置し、このシールドコイルの通電により、前記磁場形成用コイルからの洩れ磁場を打ち消す磁場を形成するようにしたものが知られている。
【特許文献１】特開平５−９００２２号公報
【発明の開示】
【発明が解決しようとする課題】
【０００３】
前記のようにシールドコイルのみで超電導マグネット装置外への洩れ磁場を有効に低減させるためには、シールドコイルを大型で強力なものにし、かつ、磁場形成用コイルからある程度離間した位置に配置しなければならない。従って、シールドコイルに必要な超電導線材が増加し、コスト高になるとともに、超電導マグネット装置全体が大型化してしまう不都合がある。
【０００４】
本発明は、このような事情に鑑み、超電導マグネット装置の大幅なコストアップ及び大型化を避けながら、外部への磁場の洩れを有効に抑止することを目的とする。
【課題を解決するための手段】
【０００５】
本発明者等は、前記課題を解決するための手段として、前記シールドコイルのさらに外側に磁性材料からなる磁気シールド部材を配置することを発案した。しかし、この磁気シールド部材と前記シールドコイルとの相対位置関係が温度変化等に起因して変動すると、マグネット中心部での磁場分布が変化してしまい、特にＮＭＲ装置のように均一な高磁場形成が要求される装置ではその性能を低下させてしまうおそれがある。
【０００６】
本発明は、このような観点からなされたものであり、磁場を形成するための磁場形成用コイルと、この磁場形成用コイルを取り囲んで当該磁場形成用コイルにより形成される磁場の漏洩を抑止するためのシールドコイルと、これらの磁場形成用コイル及びシールドコイルを支持するコイル支持部材とを備えるとともに、このコイル支持部材に対する相対位置関係が変位しない部位であって前記シールドコイルよりも外側の部位に磁性材料からなる磁気シールド部材が設けられていることを特徴とする超電導マグネット装置である。
【０００７】
この構成によれば、磁場形成用コイルを取り囲むシールドコイルと、さらにその外側に配される磁気シールド部材との協働によって、当該シールドコイルの大型化や強力化、装置の著しい大型化を伴うことなく、洩れ磁場を有効に低減させることが可能になる。しかも、前記磁気シールド部材は前記シールドコイルを支持するコイル支持部材に対する相対位置関係が変化しない部位に設けられているので、当該相対変位に起因するマグネット中心部での磁場分布の変化を回避することができる。
【０００８】
特に、前記コイル支持部材を収容する外側容器を備え、この外側容器と前記コイル支持部材との相対位置関係が温度変化により変動するように両容器が連結されている超電導マグネット装置では、そのコイル支持部材側に前記磁気シールド部材が設けられている構成とすることによって、前記温度変化にかかわらず前記磁気シールド部材と前記コイル収容容器内のシールドコイルとの相対変位を回避することができる。
【０００９】
前記コイル支持部材が、前記磁場形成用コイル及びシールドコイルの運転温度と同等の温度まで冷却されるものである場合、前記磁気シールド部材は前記コイル支持部材との熱伝導によって当該コイル支持部材と略同等の温度に保持される部位に設けられていることが、より好ましい。
【００１０】
この構成によれば、前記コイル支持部材に対する磁気シールド部材の相対位置関係が一定に保たれるのみならず、当該コイル支持部材との熱伝導によって磁気シールド部材の温度も安定した状態に保たれることになるため、当該磁気シールド部材の温度変化による磁性特性の変化も抑制され、当該磁性特性の変化に起因するマグネット中心部での磁場分布の変化を回避することができる。
【００１１】
具体的に、前記コイル支持部材が、前記磁場形成用コイル及びシールドコイルをその冷却のための冷媒とともに収容するコイル収容容器である場合には、このコイル収容容器のうち少なくとも前記シールドコイルを取り囲む周壁部分にこの周壁部分と一体に変位するように前記磁気シールド部材が固定されている構成とすれば、当該磁気シールド部材の前記コイル収容容器に対する相対位置関係を安定させることができる。
【００１２】
また、前記コイル収容容器のうち少なくとも前記シールドコイルを取り囲む周壁部分を前記磁気シールド部材により構成するようにしても、前記と同様の効果が得られる。
【００１３】
一方、前記コイル支持部材が、冷凍機に熱伝導可能に接続されて当該冷凍機の生成する冷熱を前記磁場形成用コイル及びシールドコイルに伝える熱媒体として機能するものである場合も、このコイル支持部材に当該コイル支持部材と熱伝導可能となるように前記磁気シールド部材を接続すればよい。
【００１４】
例えば、前記コイル支持部材に前記磁場形成用コイル及びシールドコイルをその径方向外側から包囲するコイル包囲部が設けられており、このコイル包囲部に当該コイル包囲部と熱伝導可能となるように前記磁気シールド部材が一体に固定されている構成とすれば、当該コイル支持部材に前記磁気シールド部材を安定した状態で保持することができるとともに、当該コイル支持部材（のコイル包囲部）と磁気シールド部材との伝熱面積を稼いで両者間の熱伝導をより促進させることが可能である。
【００１５】
前記磁気形成用コイル、シールドコイル、及び磁気シールド部材は、円筒状であってその軸心が相互合致する位置に設けられていることが、より好ましい。この構成によれば、磁気形成用コイル及びシールドコイルの通電により発生する磁場による引力の不均衡がなくなるので、マグネットが力学的に安定するとともに、これらのコイルに対する磁気シールド部材の相対位置関係を全周にわたって均一にすることにより、安定した磁場洩れ抑止作用を得ることができる。さらに、磁気シールド部材が軸方向にも対称配置されればより好ましいものとなる。
【００１６】
ただし、前記の同軸配置による効果は、磁気シールド部材が少なくとも円筒状に形成された部材を含んでいればよいのであって、それ以外の部材、例えばコイル収容容器の天壁を覆う部材や底壁を覆う部材を含むものを除外する趣旨ではない。
【発明の効果】
【００１７】
以上のように、本発明によれば、シールドコイルの大型化や強力化及び装置全体の著しい大型化を伴うことなく、また、マグネット中心部での磁気分布に悪影響を与えることなく、超電導マグネット装置からの洩れ磁場を有効に低減させることができる効果がある。
【発明を実施するための最良の形態】
【００１８】
本発明の第１の実施の形態を図１に示す。
【００１９】
図示の超電導マグネット装置は、低温容器１０を具備している。この低温容器１０は、液体ヘリウム１３を収容する液体ヘリウム容器１４と、この液体ヘリウム容器１４を外側から覆う輻射熱シールド板１６と、この輻射熱シールド板１６を外側から覆い、かつ外周部分に液体窒素１９を収容する液体窒素容器１８と、この液体窒素容器１８を外側から覆う真空容器２０とを備え、前記液体ヘリウム容器１４内の液体ヘリウム１３中に、主コイル１２Ｍ、補正コイル１２Ｃ、及びシールドコイル１２Ｓが浸漬されている。図例では、前記各コイル１２Ｍ，１２Ｃ，１２Ｓ、液体ヘリウム容器１４、輻射熱シールド板１６、液体窒素容器１８、及び真空容器２０が、中央にサンプルセット用の貫通穴１１を残してこれを取り巻くドーナツ状に形成されている。
【００２０】
すなわち、この実施の形態に係るマグネット装置では、前記液体ヘリウム容器１４が、前記各コイル１２Ｍ，１２Ｃ，１２Ｓをその冷却のための冷媒である液体ヘリウム１３とともに収納するコイル収容容器（コイル支持部材）となっており、前記輻射熱シールド板１６、液体窒素容器１８、及び真空容器２０が前記液体ヘリウム容器１４を収容する外側容器となっている。
【００２１】
前記液体ヘリウム容器１４、輻射熱シールド板１６、液体窒素容器１８、及び真空容器２０の上部からは上方に首管１４ａ，１６ａ，１８ａ，２０ａがそれぞれ延設されている。これらの首管１４ａ，１６ａ，１８ａ，２０ａは、その順に管径が大きく設定されていて、かつ、互いにその軸心が合致する位置に配されており、前記首管１４ａの外周面に他の首管２０ａ，１８ａ，１６ａの上端部がそれぞれ溶接あるいはろう付、はんだ付等の手段により接合された状態となっている。従って、液体ヘリウム容器１４の首管１４ａが真空容器２０の首管２０ａの上端から吊り下がり、かつ、その首管１４ａから輻射熱シールド板１６及び液体窒素容器１８の首管１６ａ，１８ａがそれぞれ吊り下がった状態となっている。
【００２２】
さらに、液体ヘリウム容器１４の天底壁と輻射熱シールド板１６の天底壁との間、輻射熱シールド板１６の天底壁と液体窒素容器１８の天底壁との間、液体窒素容器１８の天底壁と真空容器２０の天底壁との間には、それぞれ径方向の連結棒２２が配されるとともに、液体窒素容器１８の外周部と真空容器２０の外周部との間には上下方向の連結棒２３が配されている。これら連結棒２２，２３は、Ｇ−ＦＲＰやＣ−ＦＲＰといった断熱性の高い材料で構成され、輻射熱シールド板１６も含めた各容器同士の連結を行うとともに、事前に張力が付与されたテンションロッドとして機能する。
【００２３】
なお、前記液体ヘリウム容器１４、熱シールド板１６、液体窒素容器１８、及び真空容器２０は、それぞれ非磁性材料で構成されている。その具体的な材質は特に問わないが、前記液体ヘリウム容器１４及び真空容器２０の材質としては例えばステンレス鋼が好適であり、熱シールド板１６及び液体窒素容器１８の材質としては例えば熱伝導性に優れたアルミニウム合金が好適である。
【００２４】
次に、前記液体ヘリウム容器１４内に収容される各コイル１２Ｍ，１２Ｃ，１２Ｓについて説明する。
【００２５】
これらのコイル１２Ｍ，１２Ｃ，１２Ｓは、それぞれ円筒状に形成され、その軸心が相互合致する位置に配されている。
【００２６】
このうち主コイル１２Ｍは、強磁場の発生源となるものであって、液体ヘリウム容器１４内における径方向内側の位置に配設されている。
【００２７】
補正コイル１２Ｃは、前記主コイル１２Ｍにより形成される磁場の磁力線の方向を適正な方向に補正するための補正用磁場を形成するものであって、前記主コイル１２Ｍのすぐ径方向外側の位置に当該主コイル１２Ｍを取り巻くように配設されている。従って、この実施の形態では、前記補正コイル１２Ｃと主コイル１２Ｍとにより、本発明にいう磁場形成用コイルが形成されている。
【００２８】
ただし、本発明は、主コイル１２Ｍのみで磁場形成用コイルが構成されるものを除外する趣旨のものではない。
【００２９】
シールドコイル１２Ｓは、前記主コイル１２Ｍ及び補正コイル１２Ｃから径方向外側に洩れる磁場を打ち消すためのものであり、このシールドコイル１２Ｓには前記主コイル１２Ｍに流される電流と逆向きの電流が流される。
【００３０】
さらに、この超電導マグネット装置では、容器外への磁場の洩れをより効果的に抑止すべく、前記液体ヘリウム容器１４に磁気シールド板２４，２５，２６が設けられている。
【００３１】
これらの磁気シールド板２４，２５，２６は、磁気シールド効果を奏し得る磁性材料により構成されている。具体的には、鉄、コバルト、ニッケル、またはこれらの合金（例えばパーマロイ）等が好適である。
【００３２】
このうち、前記磁気シールド板２４は、前記液体ヘリウム容器１４の外周壁１４ｄの外側面に密着する円筒状に形成され、その軸心が前記各コイル１２Ｍ，１２Ｃ，１２Ｓの軸心と合致する位置で前記液体ヘリウム容器１４に当該容器１４と一体に変位するように固定（例えば接着剤等で貼付）されている。同様に磁気シールド板２５，２６は、前記液体ヘリウム容器１４の天壁１４ｂの上面及び底壁１４ｃの下面に密着するドーナツ板状に形成され、これらの面１４ｂ，１４ｃにそれぞれ一体に固定されている。
【００３３】
このような超電導マグネット装置によれば、磁場形成用コイルである主コイル１２Ｍ及び補正コイル１２Ｃを取り囲むシールドコイル１２Ｓと、さらにその外側に配される磁気シールド板２４〜２６との協働によって、当該シールドコイル１２Ｓの大型化や強力化、装置の著しい大型化を伴うことなく、洩れ磁場を有効に低減させることができる。しかも、前記磁気シールド板２４〜２６は、前記シールドコイル１２Ｓが収容されている液体ヘリウム容器１４に一体に固定されていて当該液体ヘリウム容器１４に対して相対変位しないため、その相対変位に起因するマグネット中心部での磁場分布の変化を回避することができる。
【００３４】
例えば、図示の装置において輻射熱シールド板１６を磁気シールド部材として構成したり、当該輻射熱シールド板１６に磁気シールド板を貼り付けたりした場合には、低温容器１０の温度変化によって液体ヘリウム容器１４の長尺の首管１４ａや輻射熱シールド板１６の首管１６ａが熱伸縮する等して当該液体ヘリウム容器１４と輻射熱シールド板１６との相対位置関係が上下方向に変動するため、当該液体ヘリウム１４と磁気シールド部材との相対位置関係も変動することとなり、これに起因してマグネット中心部での磁場分布に悪影響を及ぼすおそれがあるが、図示のように液体ヘリウム容器１４の外周壁１４ｄや天底壁１４ｂ，１４ｃの外側面にこれと一体に磁気シールド板２４〜２６を固定すれば、温度変化にかかわらず主コイル１２Ｍ及び補正コイル１２Ｃと磁気シールド板２４〜２６との相対位置関係を一定に保つことが可能であり、これによってマグネット中心部での磁場分布も良好に保つことが可能になる。
【００３５】
しかも、図示の構造では、液体ヘリウム１３により冷却される液体ヘリウム容器１４と各磁気シールド板２４〜２６とが密着していて両者間の熱伝導が良好な状態となっているので、磁気シールド板２４〜２６の温度も低温に安定させることができ、その結果、当該磁気シールド板２４〜２６の磁気特性も安定させて磁場の均一化をより進めることが可能になる。
【００３６】
例えばＮＭＲ装置の場合、中心部分の小さな球領域（例えば直径10mm）において、0.01ppm程度のきわめて均一な磁場が要求されるが、磁気シールド部材として用いられる磁性材料の特性はその温度が高くなるほど温度依存性が大きくなるため、この磁気シールド部材が低温状態に安定していないと磁場の均一性を要求レベルまで高めることは難しくなる。例えば前記磁性材料が鉄の場合、その飽和磁化の温度依存性は当該温度とともに増加し、液体ヘリウム温度である4.2Kでは約0.01ppm/K程度であるのに対し、液体窒素温度である77Kでは約9ppm/Kまで高くなり、室温である300Kに至っては約70ppm/Kとなってしまう。
【００３７】
従って、高均一な磁場を得るためには、磁気シールド部材をなるべく低温に保ち、かつ、その温度変化を抑制することが必要になるが、その要求は、前記のように磁気シールド板２４〜２６を液体ヘリウム容器１４との熱伝導が良好となる部位に配置することによって満足されることになる。
【００３８】
さらに、図示のように円筒状の磁気シールド板２４の軸心と各コイル１２Ｍ，１２Ｃ，１２Ｓの軸心とが合致するようにこれら磁気シールド板２４及びコイル１２Ｍ，１２Ｃ，１２Ｓを配置すれば、シールドコイル１２Ｓ及び磁気シールド板２４による磁場洩れ抑止効果を全周にわたって均一に安定した状態で発揮させることが可能になる。
【００３９】
ただし、本発明では少なくともシールドコイル１２Ｓよりも外側の位置に磁気シールド部材が配置されていればよく、例えば図示の磁気シールド板２５，２６は仕様に応じて適宜省略が可能である。
【００４０】
また、磁気シールド板２４〜２６は必ずしも液体ヘリウム容器１４に密着していなくてもよく、本発明の第２の実施の形態として図２に示すように、円筒状の磁気シールド板２４を液体ヘリウム容器１４の外周面から径方向の隙間２８をおいて離間配置するようにしてもよい。このような配置をするには、例えば図示のように、前記液体ヘリウム容器１４の底壁１４ｂ（もしくは天壁または天底両壁でもよい。）を外周壁１４ｄの外側面よりも径方向外側に張出させてその張出部分に円筒状の磁気シールド板２４の下端（もしくは上端または上下端）を接合（例えば溶接、ロウ付、はんだ付）するようにすればよい。
【００４１】
あるいは、磁気シールド板を液体ヘリウム容器１４の内側面に固定するようにしてもよいし、液体ヘリウム容器１４の外周壁１４ｄ、または外周壁１４ｄと天底壁１４ｂ，１４ｃそのものを磁気シールド部材で構成するようにしてもよい。また、前記磁性材料からなる板を他の構造材料からなる板で挟み込んだ合板によって前記外周壁１４ｄ等を構成するようにしてもよい。
【００４２】
本発明の第３の実施の形態を図３に示す。ここに示す超電導マグネット装置は、無冷媒式のものであって、外側容器として真空容器２０及びその内側の輻射熱シールド板１６を備え、その内側にコイル冷却ステージ３６が収納されており、このコイル冷却ステージ３６上に磁場形成用コイルである主コイル１２Ｍとシールドコイル１２Ｓとが支持されている。
【００４３】
この装置は、冷熱源として冷凍機３０を備え、その基端部分が前記真空容器２０に固定されている。この冷凍機３０には、第１ステージ３１及びこの第１ステージ３１よりも低温の第２ステージ３２をもつ二段の冷凍機が用いられ、前記第１ステージ３１が前記輻射熱シールド板１６に熱伝導可能に接続されるとともに、前記第２ステージ３２が伝熱材３４を介して前記コイル冷却ステージ３６に熱伝導可能に接続されている。
【００４４】
コイル冷却ステージ３６は、銅等の高熱伝導材料により平板状に形成され、図略の連結棒によって輻射熱シールド板１６の適所に連結されている。そして、前記冷凍機３０の生成する冷熱によって各コイル１２Ｍ，１２Ｓの運転温度まで冷却されるとともに、その冷熱を前記各コイル１２Ｍ，１２Ｓに伝達する伝熱媒体として機能する。
【００４５】
具体的に、前記各コイル１２Ｍ，１２Ｓは、それぞれ、装置中心の貫通孔１１と同軸の巻枠３７，３８に沿って巻回され、これらの巻枠３７，３８が前記コイル冷却ステージ３６上に当該コイル冷却ステージ３６と熱伝導可能となるように設置されている。
【００４６】
さらに、この実施の形態では、前記コイル１２Ｍ，１２Ｓをさらにその径方向外側から包囲する円筒状の磁気シールド板２４が当該コイル１２Ｍ，１２Ｓと同軸の位置に配されるとともに、この磁気シールド板２４の軸端（下端）が前記コイル冷却ステージ３６に接触する状態で当該コイル冷却ステージ３６上に溶接等で固定されている。
【００４７】
この装置においても、磁気シールド板２４はコイル冷却ステージ３６と一体に固定されていて当該コイル冷却ステージ３６との相対位置関係は変動しない状態となっているので、その相対位置関係の変動による磁場の乱れを回避することができる。さらに、当該コイル冷却ステージ３６と磁気シールド板２４との熱伝導によって当該磁気シールド板２４を低温状態に安定させることにより、当該磁気シールド板２４自体の温度変化に起因するマグネット中心部での磁場分布の変化も回避することができる。
【００４８】
このような無冷媒式の超電導マグネット装置においても、磁気シールド板２４とコイル冷却ステージ３６との関係について種々の設定が可能である。
【００４９】
例えば第４の実施の形態として図４に示すように、前記コイル冷却ステージ３６に前記各コイル１２Ｍ，１２Ｓをその径方向外側から包囲するコイル包囲部３６ａを形成し、このコイル包囲部３６ａの外側面または内側面（図例では外側面）に磁気シールド板２４を接着等で固定するようにすれば、当該コイル冷却ステージ３６と磁気シールド板２４との伝熱面積を稼いで当該磁気シールド板２４の冷却効果を高めることができる。
【００５０】
また、磁気シールド部材を前記コイル１２Ｍ，１２Ｓを径方向外側だけでなく上側からも覆うキャップ状にすれば、その磁気シールド効果をさらに高めることも可能である。
【００５１】
コイル冷却ステージ３６とコイル１２Ｍ，１２Ｓとの位置関係についても図示のものに限られず、例えばコイル冷却ステージ３６からコイル１２Ｍ，１２Ｓが吊下げ支持されるようなものであってもよい。
【図面の簡単な説明】
【００５２】
【図１】本発明の第１の実施の形態に係る超電導マグネット装置を示す断面正面図である。
【図２】本発明の第２の実施の形態に係る超電導マグネット装置を示す断面正面図である。
【図３】本発明の第３の実施の形態に係る超電導マグネット装置を示す断面正面図である。
【図４】本発明の第４の実施の形態に係る超電導マグネット装置を示す断面正面図である。
【符号の説明】
【００５３】
１０    低温容器
１２Ｍ  主コイル（磁場形成用コイル）
１２Ｃ  補正コイル（磁場形成用コイル）
１２Ｓ  シールドコイル
１４    液体ヘリウム容器（コイル収容容器）
１４ｄ  液体ヘリウム容器の外周壁
１６    輻射熱シールド板（外側容器）
１８    液体窒素容器（外側容器）
２０    真空容器（外側容器）
２４〜２６  磁気シールド板
３０    冷凍機
３６    コイル冷却ステージ（コイル支持部材）
３６ａ  コイル包囲部
【図１】
2006261335.tif 000003
【図２】
2006261335.tif 000004
【図３】
2006261335.tif 000005
【図４】
2006261335.tif 000006